(57)【要約】【課題】設定情報を手作業で入力する場合と比べて、入力ミスを防止又は低減する。【解決手段】設定情報記入用紙６０において、旧デバイス表示欄６２には、旧画像形成装置の旧デバイス設定情報、及び、管理装置に設定されている旧画像形成装置についての旧管理情報が印刷されている。新デバイス記入欄６４には、旧デバイス情報及び旧管理情報に対する更新情報が記入される。２次元コード６６は、暗号化された管理装置ＩＤ及び旧デバイスＩＤを示している。新画像形成装置によって設定情報記入用紙６０上の画像が読み取られ、２次元コード６６に基づいて権限が確認される。権限が確認されると、更新情報によって更新された新デバイス設定情報が新画像形成装置に設定され、更新情報によって更新された新管理情報が管理装置に設定される。【選択図】図４
2016063474.tif 000002
【特許請求の範囲】
【請求項１】
旧画像形成装置に設定されている旧装置設定情報、前記旧画像形成装置を管理する管理装置に設定されている前記旧画像形成装置についての旧管理情報、前記旧装置設定情報用の更新情報、及び、前記旧管理情報用の更新情報を含む設定情報と、前記旧画像形成装置を識別するための旧装置識別情報及び前記管理装置を識別するための管理装置識別情報を含む識別情報と、を取得する取得手段と、
前記旧管理情報を更新して自機についての新管理情報を前記管理装置に設定するための情報として、前記旧管理情報及び前記旧管理情報用の更新情報を前記管理装置に出力する出力手段と、
前記識別情報に基づく認証結果に応じて、前記旧装置設定情報用の更新情報によって前記旧装置設定情報が更新された後の新装置設定情報を自機に設定する設定手段と、
を有する画像形成装置。
【請求項２】
前記旧装置設定情報、前記旧管理情報、前記識別情報、及び、前記更新情報を記入するための更新記入欄が、記録媒体に印刷されており、
前記取得手段は、前記記録媒体上の画像の読み取りの結果として、前記設定情報及び前記識別情報を取得する、
ことを特徴とする請求項１に記載の画像形成装置。
【請求項３】
前記識別情報は、暗号化されて前記記録媒体上に印刷されている、
ことを特徴とする請求項２に記載の画像形成装置。
【請求項４】
旧画像形成装置を管理するための旧管理情報を記憶する記憶手段と、
前記旧管理情報、前記旧画像形成装置に設定されている旧装置設定情報、及び、前記旧画像形成装置を識別するための旧装置識別情報と自装置を識別するための管理装置識別情報とを含む第１の識別情報、を含む旧設定情報を取得して前記旧画像形成装置に出力する出力手段と、
旧装置識別情報及び管理装置識別情報を含む第２の識別情報と、前記旧管理情報用の更新情報と、を新画像形成装置から取得する取得手段と、
前記第１の識別情報と前記第２の識別情報とに基づく認証結果に応じて、前記旧管理情報用の更新情報に基づいて、前記記憶手段に記憶されている前記旧管理情報を更新する更新手段と、
を有する管理装置。
【請求項５】
前記出力手段は、前記旧設定情報の印刷指示を示す情報を前記旧画像形成装置に更に出力し、
前記取得手段は、前記旧設定情報が印刷された記録媒体上の画像を読み取ることにより生成された画像データを前記新画像形成装置から取得し、前記画像データを解析することにより、前記第２の識別情報と前記旧管理情報用の更新情報とを取得する、
ことを特徴とする請求項４に記載の管理装置。
【請求項６】
前記記録媒体には前記旧装置設定情報用の更新情報が更に記載されており、
前記取得手段は、前記画像データを解析することにより、前記旧装置設定情報用の更新情報を更に取得し、
前記更新手段は、前記認証結果に応じて、前記旧装置設定情報用の更新情報によって前記旧装置設定情報が更新された後の新装置設定情報が、前記新画像形成装置に設定されるように、設定情報の更新指示を示す情報を前記新画像形成装置に更に出力する、
ことを特徴とする請求項５に記載の管理装置。
【請求項７】
コンピュータを、
旧画像形成装置に設定されている旧装置設定情報、前記旧画像形成装置を管理する管理装置に設定されている前記旧画像形成装置についての旧管理情報、前記旧装置設定情報用の更新情報、及び、前記旧管理情報用の更新情報を含む設定情報と、前記旧画像形成装置を識別するための旧装置識別情報及び前記管理装置を識別するための管理装置識別情報を含む識別情報と、を取得する取得手段と、
前記旧管理情報を更新して自機についての新管理情報を前記管理装置に設定するための情報として、前記旧管理情報及び前記旧管理情報用の更新情報を前記管理装置に出力する出力手段と、
前記識別情報に基づく認証結果に応じて、前記旧装置設定情報用の更新情報によって前記旧装置設定情報が更新された後の新装置設定情報を自機に設定する設定手段と、
として機能させるプログラム。
【請求項８】
コンピュータを、
旧画像形成装置に設定されている旧装置設定情報、前記旧画像形成装置を管理する管理装置に設定されている前記旧画像形成装置についての旧管理情報、及び、前記旧画像形成装置を識別するための旧装置識別情報と前記管理装置を識別するための管理装置識別情報とを含む第１の識別情報、を含む旧設定情報を取得して前記旧画像形成装置に出力する出力手段と、
旧装置識別情報及び管理装置識別情報を含む第２の識別情報と、前記旧管理情報用の更新情報と、を新画像形成装置から取得する取得手段と、
前記第１の識別情報と前記第２の識別情報とに基づく認証結果に応じて、前記旧管理情報用の更新情報に基づいて、前記旧管理情報を更新する更新手段と、
として機能させるプログラム。
【発明の詳細な説明】
【技術分野】
【０００１】
本発明は、画像形成装置及びプログラムに関する。
【背景技術】
【０００２】
画像形成装置（旧画像形成装置）を別の画像形成装置（新画像形成装置）に交換する場合において、旧画像形成装置の設定情報を新画像形成装置に設定したり、旧画像形成装置に換えて新画像形成装置をサーバに登録したりすることがある。
【０００３】
特許文献１には、旧画像形成装置の設定情報をサーバに保存しておき、新画像形成装置にその設定情報を送信するシステムが開示されている。
【０００４】
特許文献２には、設定情報から２次元コードを生成して媒体に印刷するとともに、媒体の使用を案内するための案内情報を媒体に印刷する画像形成装置が開示されている。
【先行技術文献】
【特許文献】
【０００５】
【特許文献１】特開２０１１−９７３３７号公報
【特許文献２】特開２００９−２３９３６５号公報
【発明の概要】
【発明が解決しようとする課題】
【０００６】
ところで、旧画像形成装置の設定情報のコピーや予め決定された共通の設定情報だけを、新画像形成装置やサーバに設定すればよいわけではなく、新画像形成装置に応じた情報を設定する必要がある。この場合、作業者が新画像形成装置の操作パネルを利用して、設定情報を手作業で入力することが想定される。しかし、作業の完了に要する時間が増大し、入力ミスが発生し得る。
【０００７】
本発明の目的は、設定情報を手作業で入力する場合と比べて、入力ミスを防止又は低減することである。
【課題を解決するための手段】
【０００８】
請求項１に係る発明は、旧画像形成装置に設定されている旧装置設定情報、前記旧画像形成装置を管理する管理装置に設定されている前記旧画像形成装置についての旧管理情報、前記旧装置設定情報用の更新情報、及び、前記旧管理情報用の更新情報を含む設定情報と、前記旧画像形成装置を識別するための旧装置識別情報及び前記管理装置を識別するための管理装置識別情報を含む識別情報と、を取得する取得手段と、前記旧管理情報を更新して自機についての新管理情報を前記管理装置に設定するための情報として、前記旧管理情報及び前記旧管理情報用の更新情報を前記管理装置に出力する出力手段と、前記識別情報に基づく認証結果に応じて、前記旧装置設定情報用の更新情報によって前記旧装置設定情報が更新された後の新装置設定情報を自機に設定する設定手段と、を有する画像形成装置である。
【０００９】
請求項２に係る発明は、前記旧装置設定情報、前記旧管理情報、前記識別情報、及び、前記更新情報を記入するための更新記入欄が、記録媒体に印刷されており、前記取得手段は、前記記録媒体上の画像の読み取りの結果として、前記設定情報及び前記識別情報を取得する、ことを特徴とする請求項１に記載の画像形成装置である。
【００１０】
請求項３に係る発明は、前記識別情報は、暗号化されて前記記録媒体上に印刷されている、ことを特徴とする請求項２に記載の画像形成装置である。
【００１１】
請求項４に係る発明は、旧画像形成装置を管理するための旧管理情報を記憶する記憶手段と、前記旧管理情報、前記旧画像形成装置に設定されている旧装置設定情報、及び、前記旧画像形成装置を識別するための旧装置識別情報と自装置を識別するための管理装置識別情報とを含む第１の識別情報、を含む旧設定情報を取得して前記旧画像形成装置に出力する出力手段と、旧装置識別情報及び管理装置識別情報を含む第２の識別情報と、前記旧管理情報用の更新情報と、を新画像形成装置から取得する取得手段と、前記第１の識別情報と前記第２の識別情報とに基づく認証結果に応じて、前記旧管理情報用の更新情報に基づいて、前記記憶手段に記憶されている前記旧管理情報を更新する更新手段と、を有する管理装置である。
【００１２】
請求項５に係る発明は、前記出力手段は、前記旧設定情報の印刷指示を示す情報を前記旧画像形成装置に更に出力し、前記取得手段は、前記旧設定情報が印刷された記録媒体上の画像を読み取ることにより生成された画像データを前記新画像形成装置から取得し、前記画像データを解析することにより、前記第２の識別情報と前記旧管理情報用の更新情報とを取得する、ことを特徴とする請求項４に記載の管理装置である。
【００１３】
請求項６に係る発明は、前記記録媒体には前記旧装置設定情報用の更新情報が更に記載されており、前記取得手段は、前記画像データを解析することにより、前記旧装置設定情報用の更新情報を更に取得し、前記更新手段は、前記認証結果に応じて、前記旧装置設定情報用の更新情報によって前記旧装置設定情報が更新された後の新装置設定情報が、前記新画像形成装置に設定されるように、設定情報の更新指示を示す情報を前記新画像形成装置に更に出力する、ことを特徴とする請求項５に記載の管理装置である。
【００１４】
請求項７に係る発明は、コンピュータを、旧画像形成装置に設定されている旧装置設定情報、前記旧画像形成装置を管理する管理装置に設定されている前記旧画像形成装置についての旧管理情報、前記旧装置設定情報用の更新情報、及び、前記旧管理情報用の更新情報を含む設定情報と、前記旧画像形成装置を識別するための旧装置識別情報及び前記管理装置を識別するための管理装置識別情報を含む識別情報と、を取得する取得手段と、前記旧管理情報を更新して自機についての新管理情報を前記管理装置に設定するための情報として、前記旧管理情報及び前記旧管理情報用の更新情報を前記管理装置に出力する出力手段と、前記識別情報に基づく認証結果に応じて、前記旧装置設定情報用の更新情報によって前記旧装置設定情報が更新された後の新装置設定情報を自機に設定する設定手段と、として機能させるプログラムである。
【００１５】
請求項８に係る発明は、コンピュータを、旧画像形成装置に設定されている旧装置設定情報、前記旧画像形成装置を管理する管理装置に設定されている前記旧画像形成装置についての旧管理情報、及び、前記旧画像形成装置を識別するための旧装置識別情報と前記管理装置を識別するための管理装置識別情報とを含む第１の識別情報、を含む旧設定情報を取得して前記旧画像形成装置に出力する出力手段と、旧装置識別情報及び管理装置識別情報を含む第２の識別情報と、前記旧管理情報用の更新情報と、を新画像形成装置から取得する取得手段と、前記第１の識別情報と前記第２の識別情報とに基づく認証結果に応じて、前記旧管理情報用の更新情報に基づいて、前記旧管理情報を更新する更新手段と、として機能させるプログラムである。
【発明の効果】
【００１６】
請求項１，４，７，８に係る発明によると、設定情報を手作業で入力する場合と比べて、入力ミスが防止又は低減される。
【００１７】
請求項２，５，６に係る発明によると、設定情報等を手作業で入力する場合と比べて、その入力が簡便となり、入力ミスが防止又は低減される。
【００１８】
請求項３に係る発明によると、識別情報のセキュリティが確保され得る。
【図面の簡単な説明】
【００１９】
【図１】本発明の実施形態に係る画像形成システムを示すブロック図である。
【図２】管理装置を示すブロック図である。
【図３】画像形成装置を示すブロック図である。
【図４】設定情報記入用紙の一例を示す図である。
【図５】設定情報の一例を示す図である。
【図６】撤収作業時における処理の一例を示すフローチャートである。
【図７】設置作業時における処理の一例を示すフローチャートである。
【図８】撤収作業時及び設置作業時における処理の一例を示す模式図である。
【発明を実施するための形態】
【００２０】
図１には、本発明の実施形態に係る画像形成システムの一例が示されている。画像形成システムは、管理装置１０と、１又は複数の画像形成装置４０を含む。管理装置１０及び画像形成装置４０は、ネットワーク等の通信経路Ｎに接続されている。なお、図１に示す例では、１台の画像形成装置４０が通信経路Ｎに接続されているが、この台数は一例であり、画像形成装置４０の台数は２台以上であってもよい。画像形成装置４０Ｂは、画像形成装置４０Ａの交換用の装置である。本実施形態では、画像形成装置４０Ａが、画像形成装置４０Ｂによって交換されるものとする。画像形成装置４０Ａが「旧画像形成装置」に相当し、画像形成装置４０Ｂが「新画像形成装置」に相当する。
【００２１】
管理装置１０は、画像形成装置４０を管理する装置である。管理装置１０は、データを画像形成装置４０に送信する機能と、データを画像形成装置４０から受信する機能とを備えている。画像形成装置４０は、例えば、プリンタ機能及びスキャン機能を備えている。また、画像形成装置４０は、コピー機能及びファクシミリ機能を備えていてもよい。画像形成装置４０は、データを管理装置１０に送信する機能と、データを管理装置１０から受信する機能とを備えている。
【００２２】
図２には、管理装置１０の構成が示されている。
【００２３】
通信部１２は、通信経路Ｎに接続される通信インターフェースである。通信部１２は、他の装置にデータを送信する機能と、他の装置からデータを受信する機能とを備えている。
【００２４】
記憶部１４は、ハードディスク等の記憶装置である。記憶部１４には、管理情報１６が記憶されている。管理情報１６は、画像形成装置４０を管理するための情報である。個々の画像形成装置４０毎の管理情報１６が、記憶部１４に記憶されている。例えば、個々の管理情報１６には、画像形成装置４０を識別するための装置識別情報（例えばデバイスＩＤ）が対応付けられている。管理情報１６には、一例として、画像形成装置４０と通信するための情報や、画像形成装置４０を管理するための論理的な情報等が含まれる。通信するための情報には、一例として、画像形成装置４０のＩＰアドレスや、各種のプロトコル（ＬＰＲ、ＳＮＭＰ）の情報等が含まれる。論理的な情報には、一例として、画像形成装置４０が属するグループに関する情報や、管理装置１０が画像形成装置４０を監視するためのスケジュール情報等が含まれる。
【００２５】
制御部１８は、管理装置１０の各部の動作を制御する。また、制御部１８は、情報取得部２０、解析部２２、認証部２４、デバイス設定部２６及び管理設定部２８を含む。
【００２６】
情報取得部２０は、旧画像形成装置の設定情報を取得する。本実施形態では、情報取得部２０は、旧画像形成装置の管理情報１６を記憶部１４から取得する。また、情報取得部２０は、旧画像形成装置にアクセスし、旧画像形成装置に記憶されているデバイス設定情報を取得する。このデバイス設定情報は、旧画像形成装置自体に設定されている情報である。デバイス設定情報には、一例として、画像形成装置のネットワークの設定情報や、ユーザ情報、ユーザ認証情報、宛先情報、画像データの格納場所（フォルダやディレクトリ）に関する格納場所情報、等が含まれる。ユーザ情報は、画像形成装置のユーザの識別情報であり、例えば氏名やユーザＩＤである。ユーザ認証情報には、例えば、ユーザ情報と暗証情報とが含まれる。暗証情報は、ユーザが本人であることを確認するための情報であり、例えばパスワードである。宛先情報には、例えば、ファクシミリの送り先の氏名や名称、送り先のＦＡＸ番号、電話番号、等の情報が含まれる。以下では、旧画像形成装置に設定されているデバイス設定情報を、「旧デバイス設定情報」と称することとする。また、旧画像形成装置の管理情報１６を、「旧管理情報」と称することとする。
【００２７】
また、情報取得部２０は、操作権限情報として利用される情報を取得する。例えば、管理装置１０を識別するための管理装置識別情報（例えば管理装置ＩＤ）と、旧画像形成装置を識別するための旧装置識別情報（例えば旧デバイスＩＤ）と、が操作権限情報として利用される。管理装置ＩＤは、管理装置１０の記憶部１４に記憶されており、情報取得部２０は、記憶部１４から管理装置ＩＤを取得する。旧デバイスＩＤは、旧画像形成装置に記憶されており、情報取得部２０は、旧画像形成装置から旧デバイスＩＤを取得する。管理装置ＩＤと旧デバイスＩＤとは対応付けられて記憶部１４に記憶される。情報取得部２０は、操作権限情報を暗号化してもよい。例えば、情報取得部２０は、操作権限情報を暗号化することにより、１次元又は２次元コードを生成してもよい。
【００２８】
また、制御部１８は、更新情報の記入欄を示す記入欄情報を生成する。更新情報は、旧管理情報及び旧デバイス設定情報を更新するための情報である。後述するように、更新情報は、例えば作業者によって記入される。以下では、更新情報によって更新された後の管理情報を「新管理情報」と称し、更新情報によって更新された後のデバイス設定情報を「新デバイス設定情報」と称することとする。
【００２９】
以下では、旧管理情報、旧デバイス設定情報、操作権限情報（管理装置ＩＤ及び旧デバイスＩＤ）、及び、記入欄情報を含む情報を、「旧設定情報」と称することとする。通信部１２は、制御部１８の制御の下、旧設定情報と旧設定情報の印刷指示を示す印刷指示情報とを旧画像形成装置に送信する。印刷指示情報は制御部１８によって生成され、印刷のフォーマットを示す情報やＰＤＦ（Portable Document Format）（登録商標）形式の情報を含む。後述するように、旧画像形成装置では、旧設定情報が、そのフォーマットに従って用紙等の記録媒体上に印刷される。すなわち、旧管理情報、旧デバイス設定情報、操作権限情報、及び、更新情報の記入欄が、用紙上に印刷される。以下、これらの情報が印刷された用紙を「設定情報記入用紙」と称することとする。
【００３０】
後述するように、設定情報記入用紙における更新情報の記入欄には、旧管理情報及び旧デバイス情報に対する更新の内容が記入される。新画像形成装置においては、設定情報記入用紙上の画像が読み取られる。例えば、更新情報の記入欄に更新内容が記入された上で、設定情報記入用紙上の画像が読み取られる。この読み取りにより生成された画像データには、旧管理情報、旧デバイス設定情報、操作権限情報及び更新内容を示す更新情報が表されている。以下、設定情報記入用紙上の画像を読み取ることにより生成された画像データを、「設定用画像データ」と称することとする。また、設定用画像データに表されている情報（旧管理情報、旧デバイス情報、操作権限情報及び更新情報）を、「新設定情報」と称することとする。
【００３１】
解析部２２は、設定用画像データを解析することにより、設定用画像データから新設定情報を抽出する。この設定用画像データは、例えば、新画像形成装置から管理装置１０に送信される。解析部２２は、例えば、設定用画像データに対してＯＣＲ（Optical Character Recognition）処理を施すことにより、設定用画像データから新設定情報を抽出する。また、操作権限情報が暗号化されて設定用画像データに表されている場合、解析部２２は、暗号化された操作権限情報を復号する。これにより、管理装置ＩＤ及び旧デバイスＩＤが復号される。
【００３２】
認証部２４は、管理装置ＩＤ及び旧デバイスＩＤを利用して、新設定情報の引き継ぎに関する操作権限の確認を行う。具体的には、認証部２４は、解析部２２によって設定用画像データから抽出された管理装置ＩＤ及び旧デバイスＩＤと、記憶部１４に記憶されている管理装置ＩＤ及び旧デバイスＩＤとを照合する。この照合により、設定情報の引き継ぎに関する操作権限が確認される。
【００３３】
デバイス設定部２６は、解析部２２によって抽出された新設定情報から新デバイス設定情報を抽出し、その新デバイス設定情報を新画像形成装置に送信する。そして、デバイス設定部２６は、新画像形成装置に対して新デバイス設定情報の設定指示を与える。
【００３４】
管理設定部２８は、解析部２２によって抽出された新設定情報の中から旧管理情報の更新情報を抽出し、その更新情報によって、記憶部１４に記憶されている旧画像形成装置の旧管理情報を更新する。この更新により、新画像形成装置の新管理情報が記憶部１４に記憶されることになる。
【００３５】
管理装置１０は、一例としてハードウェア資源とソフトウェアとの協働により実現される。具体的には、管理装置１０は、図示しないＣＰＵ等のプロセッサを備えている。当該プロセッサが、図示しない記憶装置に記憶されたプログラムを読み出して実行することにより、管理装置１０の各部の機能が実現される。上記プログラムは、ＣＤやＤＶＤ等の記録媒体を経由して、又は、ネットワーク等の通信経路を経由して、記憶装置に記憶される。または、管理装置１０の各部は、例えばプロセッサや電子回路等のハードウェア資源により実現されてもよい。その実現においてメモリ等のデバイスが利用されてもよい。別の例として、管理装置１０の各部は、ＤＳＰ（Digital Signal Processor）やＦＰＧＡ（Field Programmable Gate Array）等によって実現されてもよい。
【００３６】
図３には、画像形成装置４０の構成が示されている。
【００３７】
記憶部４２は、ハードディスク等の記憶装置である。記憶部４２には、デバイス設定情報４４が記憶されている。
【００３８】
画像形成部４６は、画像データに応じた画像を用紙等の記録媒体上に形成する。旧画像形成装置においては、管理装置１０から送信された旧設定情報が、画像形成部４６よって用紙に形成される。これにより、設定情報記入用紙が生成される。
【００３９】
画像読取部４８は、用紙等の記録媒体上に形成された画像を読み取る。これにより、画像データが生成される。新画像形成装置においては、上記の設定情報記入用紙上の画像が、画像読取部４８によって読み取られる。これにより、新設定情報を表す設定用画像データが生成される。
【００４０】
通信部５０は、通信経路Ｎに接続される通信インターフェースである。通信部５０は、他の装置にデータを送信する機能と、他の装置からデータを受信する機能とを備えている。旧画像形成装置においては、通信部５０は、記憶部４２に記憶されているデバイス設定情報４４（旧デバイス設定情報）を管理装置１０に送信し、管理装置１０から旧設定情報を受信する。新画像形成装置においては、通信部５０は、設定用画像データを管理装置１０に送信し、管理装置１０から新デバイス設定情報を受信する。
【００４１】
ユーザインターフェース部（ＵＩ部）５２は、操作部と表示部とを含む。操作部は、操作パネル等の入力デバイスである。表示部は、液晶ディスプレイ等の表示デバイスである。
【００４２】
制御部５４は、画像形成装置４０の各部の動作を制御する。なお、旧画像形成装置の制御部５４は、旧設定情報を、用紙以外の記録媒体に記憶させてもよい。例えば、制御部５４は、旧設定情報を、ＵＳＢメモリや光ディスク等の可搬性記録媒体に記憶させてもよい。
【００４３】
画像形成装置４０は、一例としてハードウェア資源とソフトウェアとの協働により実現される。具体的には、画像形成装置４０は、図示しないＣＰＵ等のプロセッサを備えている。当該プロセッサが、図示しない記憶装置に記憶されたプログラムを読み出して実行することにより、画像形成装置４０の各部の機能が実現される。上記プログラムは、ＣＤやＤＶＤ等の記憶媒体を経由して、又は、ネットワーク等の通信経路を経由して、記憶装置に記憶される。または、画像形成装置４０の各部は、例えばプロセッサや電子回路等のハードウェア資源により実現されてもよい。その実現においてメモリ等のデバイスが利用されてもよい。別の例として、画像形成装置４０の各部は、ＤＳＰ（Digital Signal Processor）やＦＰＧＡ（Field Programmable Gate Array）等によって実現されてもよい。
【００４４】
図４には、設定情報記入用紙の一例が示されている。この設定情報記入用紙６０は、旧画像形成装置によって印刷された用紙である。設定情報記入用紙６０には、旧デバイス表示欄６２、新デバイス記入欄６４、２次元コード６６及び位置決めマークが印刷されている。
【００４５】
旧デバイス表示欄６２には、旧管理情報及び旧デバイス設定情報が記述されている。なお、図４に示す例では、画像形成装置のグループ名、機器名、管理者名及びパスワード、等の旧管理情報が図示されており、旧デバイス設定情報が図示されていない。これは説明の便宜上のものであり、旧デバイス設定情報も設定情報記入用紙６０に記述される。例えば、宛先情報等が記述される。
【００４６】
新デバイス記入欄６４（破線で囲まれた領域）には、旧管理情報及び旧デバイス設定情報に対する更新情報が記入される。設定情報記入用紙６０が印刷された当初においては、新デバイス記入欄６４は空欄となっている。旧管理情報及び旧デバイス設定情報において、情報が変更される項目の欄に新たな情報が記入される。図４に示す例では、「機器名」、「管理者名」及び「管理者パスワード」に対する更新情報が記入されている。旧画像形成装置の「機器名」は「ＭＦＤ１」であるのに対し、新画像形成装置の「機器名」は「ＭＦＤ２」である。また、旧画像形成装置の「管理者名」は「ＡＡＡ」であるのに対し、新画像形成装置の「管理者名」は「ＣＣＣ」である。また、旧画像形成装置の「管理者パスワード」は「ＢＢＢ」であるのに対し、新画像形成装置の「管理者パスワード」は「ＤＤＤ」である。更新情報は、作業者等によって手書きで記入されてもよいし、コンピュータ等を利用して記入されてもよい。更新情報が記入された項目については、その更新情報が新画像形成装置の設定情報として使用される。新デバイス記入欄６４において空欄の項目については、旧管理情報及び旧デバイス設定情報が、新画像形成装置の設定情報として使用される。図４に示す例では、「機器名」、「管理者名」及び「管理者パスワード」については、それらの欄に記入された更新情報が新画像形成装置の設定情報として使用される。一方で、「グループ名」、「認証方式」、「ＳＮＭＰＩＤ」及び「ＳＮＭＰパスワード」については、旧管理情報が、新画像形成装置の設定情報として使用される。
【００４７】
また、２次元コード６６は、暗号化された操作権限情報（管理装置ＩＤ及び旧デバイスＩＤ）を示している。位置決めマーク６８は、ＯＣＲ処理の実行時において、位置決め用のマークとして利用される。
【００４８】
ここで、図５を参照して、設定情報の具体例について説明する。設定情報の中には、新画像形成装置の設置時に決定される項目と、設置の事前に決定され得る項目とがある。例えば、設置時に決定される項目としては、「機器グループ」、「機器名」、「管理者名」及び「管理者パスワード」等がある。これらの項目は、事前には判明していない場合があり、新画像形成装置の設置時に決定されることがある。つまり、設置時に決定される項目の情報は、新画像形成装置にとって固有の設定情報である。なお、「機器グループ」は、画像形成装置が属する論理的な分類（グループ）である。「機器名」は、ユーザによって認識され得る画像形成装置の名称である。「管理者名」は、画像形成装置の管理者名である。「管理者パスワード」は、画像形成装置のパスワードである。また、事前に決定され得る項目としては、「認証方式」、「ジョブログ収集間隔」、「ＳＮＭＰユーザ名」及び「ＳＮＭＰパスワード」等がある。これらの項目は、新画像形成装置を設置する前に判明していることがあり、事前に決定され得る項目である。つまり、事前に決定され得る項目の情報は、新画像形成装置にとって固有の設定情報ではなく、新旧の画像形成装置にとって共通の設定情報である。なお、「認証方式」は、画像形成装置を使用する際の認証方式である。「ジョブログ収集間隔」は、画像形成装置で出力したジョブの履歴の収集間隔である。「ＳＮＭＰユーザ名」は、画像形成システムで使用されているＳＮＭＰプロトコルのユーザ名である。「ＳＮＭＰパスワード」は、画像形成システムで使用されているＳＮＭＰプロトコルのパスワードである。図５に示す例では、「機器グループ」、「機器名」、「管理者名」及び「管理者パスワード」が、設置時に決定される項目である。従って、これらの項目の内容が、作業者によって設定情報記入用紙に記入されることが想定される。なお、図５に示す例は一例に過ぎない。もちろん、図５に示されている項目以外の項目が、設置時に決定される項目であってもよいし、事前に決定され得る項目であってもよい。
【００４９】
次に、図６に示されているフローチャートを参照して、旧画像形成装置の撤収時における処理について説明する。
【００５０】
まず、作業者は、旧画像形成装置のＵＩ部５２の操作部を利用して、旧設定情報の印刷を要求する（Ｓ０１）。その要求を示す情報は、旧画像形成装置から管理装置１０に送信される。管理装置１０の情報取得部２０は、旧画像形成装置から旧デバイス設定情報及び旧デバイスＩＤを取得し、管理装置１０の記憶部１４から旧管理情報及び管理装置ＩＤを取得する（Ｓ０２）。そして、旧設定情報（旧管理情報、旧デバイス設定情報、操作権限情報、及び、記入欄情報）と旧設定情報の印刷指示を示す印刷指示情報とが、管理装置１０から旧画像形成装置に送信される（Ｓ０３）。旧画像形成装置では、印刷指示に従って、画像形成部４６によって旧設定情報が用紙に印刷される（Ｓ０４）。これにより、図４に示されている設定情報記入用紙６０が形成される。その後、旧画像形成装置が作業者によって撤収される。
【００５１】
次に、図７に示されているフローチャートを参照して、新画像形成装置の設置時における処理について説明する。
【００５２】
まず、作業者は、設定情報記入用紙に更新情報を記入する（Ｓ１０）。例えば、変更される情報が記入される。図４に示す例では、「機器名」、「管理者名」及び「パスワード」に対する更新情報が記入されている。そして、新画像形成装置では、更新情報が記入された設定情報記入用紙上の画像が、画像読取部４８によって読み取られる（Ｓ１１）。これにより、設定用画像データが生成される。新画像形成装置の通信部５０は、設定用画像データを管理装置１０に送信する（Ｓ１２）。このとき、通信部５０は、新画像形成装置を識別するための新装置識別情報（例えば新デバイスＩＤ）を管理装置１０に送信する。管理装置１０の通信部１２は、設定用画像データを受信する。管理装置１０の解析部２２は、設定用画像データに対してＯＣＲ処理を実行することにより、設定用画像データから新設定情報を抽出する（Ｓ１３）。これにより、旧管理情報、旧デバイス設定情報、操作権限情報（管理装置ＩＤ及び旧デバイスＩＤ）及び更新情報が、設定用画像データから抽出される。また、図４に示すように、管理装置ＩＤ及び旧デバイスＩＤが暗号化されて２次元コード６６で表されている場合、解析部２２は、２次元コード６６を復号する。これにより、復号された管理装置ＩＤ及び旧デバイスＩＤが生成される。
【００５３】
認証部２４は、設定用画像データから抽出された管理装置ＩＤ及び旧デバイスＩＤと、記憶部１４に記憶されている管理装置ＩＤ及び旧デバイスＩＤとを照合する。本実施形態では、管理装置ＩＤ及び旧デバイスＩＤを利用することにより、正しい管理装置１０に対して、正しい画像形成装置の設定情報が更新されようとしているのか否かが判定される。すなわち、設定用画像データから抽出された設定情報（設定情報記入用紙に印刷された情報）が、管理装置１０自身によって出力された情報か否かが判定される。また、設定情報記入用紙をスキャンした新画像形成装置が、管理装置１０が管理している旧画像形成装置の交換用の装置であるか否かが判定される。管理装置ＩＤ及び旧デバイスＩＤは、管理装置１０によって取得されて旧画像形成装置に送信され、旧画像形成装置にて設定情報記入用紙に印刷された情報である。従って、管理装置１０自身が管理している管理装置ＩＤ（記憶部１４に記憶されている管理装置ＩＤ）と、設定用画像データから抽出された管理装置ＩＤとが一致する場合、その管理装置ＩＤを含む旧設定情報が、管理装置１０自身によって出力された情報であると推測される。また、管理装置１０自身が管理している旧デバイスＩＤ（記憶部１４に記憶されている旧デバイスＩＤ）と、設定用画像データから抽出された旧デバイスＩＤとが一致する場合、その旧デバイスＩＤが印刷された設定情報記入用紙をスキャンした新画像形成装置が、旧デバイスＩＤに対応する旧画像形成装置の交換用の装置であると推測される。また、設定情報記入用紙を利用している作業者が、その設定情報記入用紙に印刷されている旧デバイスＩＤに対応する旧画像形成装置の交換権限を有していると推測される。また、その作業者が、その設定情報記入用紙に印刷されている管理装置ＩＤに対応する管理装置１０に対して、新画像形成装置を登録する権限を有していると推測される。つまり、管理装置ＩＤ及び旧デバイスＩＤを利用することにより、作業者の操作権限の有無が判定されることになる。本実施形態では、設定情報記入用紙を利用している作業者に、画像形成装置の交換権限を保証していることになる。
【００５４】
設定用画像データから抽出された管理装置ＩＤ及び旧デバイスＩＤと、記憶部１４に記憶されている管理装置ＩＤ及び旧デバイスＩＤが一致しない場合（Ｓ１４，Ｎｏ）、エラー処理が実行される。この場合、認証が失敗したことになる。例えば、管理装置１０の制御部１８は、エラーメッセージを示す情報を新画像形成装置に送信し、設定情報の更新を終了する。新画像形成装置の表示部にはエラーメッセージが表示され、作業者は設置作業を終了する。
【００５５】
一方、設定用画像データから抽出された管理装置ＩＤ及び旧デバイスＩＤと、記憶部１４に記憶されている管理装置ＩＤ及び旧デバイスＩＤが一致する場合（Ｓ１４，Ｙｅｓ）、処理はステップＳ１６に移行する。この場合、認証が成功したことになる。そして、解析部２２によって抽出された新設定情報の中にデバイス設定情報が存在する場合（Ｓ１６，Ｙｅｓ）、デバイス設定部２６は、新設定情報からデバイス設定情報を抽出する。このとき、デバイス設定部２６は、旧デバイス設定情報の中で更新情報が記入されている項目については、その更新情報を抽出し、更新情報が記入されていない項目（更新情報の欄が空欄の項目）については、旧デバイス設定情報を抽出する。これにより、新画像形成装置に設定される新デバイス設定情報が抽出されたことになる。デバイス設定部２６は、新デバイス設定情報を新画像形成装置に送信するとともに、新デバイス設定情報の設定指示を示す情報を新画像形成装置に送信する（Ｓ１７）。この新デバイス設定情報は、デバイス設定情報４４として新画像形成装置の記憶部４２に記憶される。新画像形成装置の制御部５４は、その設定指示に従って、新デバイス設定情報を自身の装置に設定する。これにより、宛先情報等を含む新デバイス設定情報が新画像形成装置に設定される。そして、処理はステップＳ１８に移行する。また、新設定情報の中にデバイス設定情報が含まれていない場合（Ｓ１６，Ｎｏ）、処理はステップＳ１８に移行する。
【００５６】
新設定情報の中に管理情報が存在する場合（Ｓ１８，Ｙｅｓ）、管理設定部２８は、新設定情報から旧管理情報に対する更新情報を抽出する。管理設定部２８は、記憶部１４に記憶されている旧画像形成装置の旧管理情報を、その更新情報によって更新する（Ｓ１９）。具体的には、管理設定部２８は、旧管理情報の中で更新情報が記入されている項目の情報を、その更新情報に更新し、更新情報が記入されていない項目（更新情報の欄が空欄の項目）については、その項目に設定されている旧管理情報を維持する。これにより、記憶部１４に記憶されている旧管理情報が新管理情報に更新される。新管理情報には新デバイスＩＤが対応付けられる。そして、処理は終了する。また、新設定情報の中に管理情報が含まれていない場合（Ｓ１８，Ｎｏ）、処理は終了する。
【００５７】
次に、図８に示されている模式図を参照して、画像形成装置の撤収時及び設置時における処理について説明する。図８（ａ）には、旧画像形成装置（画像形成装置４０Ａ）の撤収時における処理の流れが示されている。図８（ｂ）には、新画像形成装置（画像形成装置４０Ｂ）の設置時における処理の流れが示されている。
【００５８】
まず、図８（ａ）を参照して、旧画像形成装置の撤収時における処理について説明する。管理装置１０の記憶部１４には、旧画像形成装置の管理情報１６Ａが記憶されている。一例として、旧画像形成装置のＩＤ（００１）、認証方式(カード)を示す情報及び収集間隔（５分）を示す情報が、管理情報１６Ａに含まれている。
【００５９】
まず、作業者は、旧画像形成装置のＵＩ部５２の操作部を利用して、旧設定情報の印刷を要求する（Ｓ３０）。これに応じて、管理装置１０の情報取得部２０は、旧画像形成装置から旧デバイス設定情報及び旧デバイスＩＤ（００１）を取得し、管理装置１０の記憶部１４から旧管理情報及び管理装置ＩＤを取得する（Ｓ３１）。そして、旧設定情報（旧管理情報、旧デバイス設定情報、操作権限情報、及び、記入欄情報）と旧設定情報の印刷指示を示す印刷指示情報とが、管理装置１０から旧画像形成装置に送信される（Ｓ３２）。旧画像形成装置では、印刷指示に従って、画像形成部４６によって旧設定情報が用紙に印刷される（Ｓ３３）。これにより、設定情報記入用紙が形成される。このとき、管理装置ＩＤ及び旧デバイスＩＤは、暗号化された上で用紙上に印刷される。その後、旧画像形成装置が作業者によって撤収される。
【００６０】
次に、図８（ｂ）を参照して、新画像形成装置の設置時における処理について説明する。まず、作業者によって新画像形成装置が設置される。また、設定情報を更新する場合、作業者によって更新情報が設定情報記入用紙に記入される。そして、新画像形成装置では、設定情報記入用紙上の画像が、画像読取部４８によって読み取られる（Ｓ４０）。これにより、設定用画像データが生成される。設定用画像データは、新画像形成装置から管理装置１０に送信される（Ｓ４１）。管理装置１０の解析部２２は、設定用画像データに対してＯＣＲ処理を実行することにより、設定用画像データから新設定情報を抽出する（Ｓ４２）。認証部２４は、設定用画像データから抽出された管理装置ＩＤ及び旧デバイスＩＤを利用して認証を行う（Ｓ４３）。これにより、作業者の操作権限等が確認される。認証が得られた場合、管理装置１０の管理設定部２８は、旧管理情報に対する更新情報に基づいて、旧画像形成装置のＩＤ「００１」が対応付けられている旧管理情報（管理情報１６Ａ）を更新する（Ｓ４４）。これにより、更新後の管理情報１６Ｂが、管理装置１０の記憶部１４に記憶される。一例として、旧画像形成装置の管理情報１６Ａに含まれている認証方式及び収集間隔は、更新されていないものとする。従って、画像形成装置のＩＤが、旧画像形成装置のＩＤ（００１）から新画像形成装置のＩＤ（００２）に更新され、認証方式及び収集間隔については更新されていない。また、管理装置１０のデバイス設定部２６は、新デバイス設定情報を新画像形成装置に送信し、デバイス設定情報の更新を指示する（Ｓ４５）。これにより、新画像形成装置に新デバイス設定情報が設定される。
【００６１】
以上のように、本実施形態では、旧管理情報及び旧デバイス設定情報が管理装置１０から旧画像形成装置に送信され、旧画像形成装置にて用紙に印刷される。その用紙（設定情報記入用紙）上の画像が、新画像形成装置にて読み取られることにより、新画像形成装置についての管理情報が管理装置１０に設定され、デバイス設定情報が新画像形成装置に設定される。これにより、作業者が新画像形成装置の操作部を利用して設定情報を手入力する場合と比べて、設定情報の入力作業が容易となり、入力ミスが防止又は低減される。
【００６２】
また、旧管理情報及び旧デバイス設定情報に対する更新情報が、作業者によって設定情報記入用紙に記入されるようになっている。その更新情報が記入された設定情報記入用紙上の画像が、新画像形成装置にて読み取られることにより、更新後の管理情報が管理装置１０に設定され、更新後のデバイス設定情報が新画像形成装置に設定される。これにより、設定情報を手入力で更新する場合と比べて、設定情報の更新が容易となり、更新ミスが防止又は低減される。例えば、操作部として、表示部に表示される仮想キーボード（例えばタッチパネル方式のキーボード）が想定される。表示部のサイズが制限されている場合があるため、仮想キーボードによる情報の入力が容易ではなかったり、入力ミスが発生したりすることがある。これに対して本実施形態では、設定情報を更新しない場合は、設定情報記入用紙上の画像をそのまま読み取れば、設定情報が管理装置１０及び新画像形成装置に設定される。一方、設定情報を更新する場合には、作業者が更新情報を設定情報記入用紙に記入した上で、設定情報記入用紙上の画像を読み取れば、更新後の設定情報が管理装置１０及び新画像形成装置に設定される。このように、本実施形態によると、設定情報を手入力する場合と比べて、設定情報の設定及び更新が簡便となる。
【００６３】
また、更新情報によって設定情報が更新されるので、新画像形成装置に応じた情報が設定される。すなわち、本実施形態では、旧画像形成装置の設定情報のコピーや、予め決定された共通の設定情報のみが、新画像形成装置の設定情報として設定されるのではなく、新画像形成装置に応じた情報が設定されるようになっている。
【００６４】
また、管理装置ＩＤ及び旧デバイスＩＤを利用して照合することにより、間違った画像形成装置への交換や間違った設定情報の設定が、防止又は低減される。さらに、管理装置ＩＤ及び旧デバイスＩＤが印刷された設定情報記入用紙によって作業者の操作権限を管理することにより、例えば、操作権限を管理するための装置を利用する場合と比べて、その権限の管理が簡便となる。
【００６５】
なお、上記の実施形態では、設定情報記入用紙を利用しているが、旧設定情報が記憶された可搬性記録媒体が利用されてもよい。例えば、作業者がパーソナルコンピュータ等を利用して、更新情報を可搬性記録媒体に記憶させる。新画像形成装置では、制御部５４が、可搬性記録媒体から新設定情報（旧管理情報、旧デバイス情報、操作権限情報及び更新情報）を読み出し、その新設定情報を管理装置１０に送信する。このように、設定用画像データの代わりに新設定情報が、新画像形成装置から管理装置１０に送信されてもよい。
【００６６】
（変形例１）
新画像形成装置が画像読取部４８を備えていない場合、画像読取部４８を備える他の画像形成装置４０によって設定情報記入用紙上の画像が読み取られてもよい。設定用画像データは他の画像形成装置４０から管理装置１０に送信される。設定用画像データから抽出された新管理情報に基づいて、管理装置１０に記憶されている管理情報が更新される。また、設定用画像データから抽出された新デバイス設定情報は、管理装置１０から新画像形成装置に送信される。例えば、設定情報記入用紙に、新画像形成装置を識別するための識別情報（例えばアドレス）等を記入しておく。管理装置１０は、その識別情報に基づいて新画像形成装置を特定し、新デバイス設定情報を管理装置１０に送信すればよい。
【００６７】
（変形例２）
予め決定されている設定情報は、１次元又は２次元のコードにコード化されてもよい。この場合、１次元又は２次元のコードが、設定情報記入用紙上に印刷されることになる。
【００６８】
（変形例３）
図４に示されている設定情報記入用紙６０には、旧管理情報及び旧デバイス設定情報と、更新情報と、が一緒に印刷されている。これらは別々の用紙に印刷されてもよい。例えば、旧画像形成装置では、管理装置１０から送信された旧管理情報及び旧デバイス設定情報が用紙に印刷され、更新情報は、予め別の用紙に記入又は印刷されていてもよい。すなわち、更新情報が記入又は印刷された用紙は、事前に用意されていてもよい。この場合、更新情報は、作業者によって手書きで用紙に記入されてもよいし、パーソナルコンピュータ等を利用して作成された上で、画像形成装置によって用紙に印刷されてもよい。コンピュータを利用して更新情報を作成することにより、更新情報を手書きで用紙に記入する場合と比べて、ＯＣＲ処理の認識率が向上し得る。
【００６９】
（変形例４）
ＯＣＲ処理の結果が、新画像形成装置のＵＩ部５２の表示部に表示されてもよい。この場合、管理装置１０の通信部１２が、ＯＣＲ処理によって抽出された情報を新画像形成装置に送信する。新画像形成装置の制御部５４は、その情報をＵＩ部５２の表示部に表示させる。表示部には、旧管理情報、旧デバイス設定情報及び更新情報が表示される。これにより、作業者によって、ＯＣＲ処理の結果が確認され得る。また、作業者は、ＵＩ部５２の操作部を利用して、旧管理情報、旧デバイス設定情報及び更新情報を訂正してもよい。この場合、訂正後の旧管理情報及び更新情報が、新画像形成装置から管理装置１０に送信され、更新後の新管理情報が管理装置１０に設定される。また、訂正後のデバイス設定情報が新画像形成装置に設定される。
【００７０】
（変形例５）
旧画像形成装置において、旧設定情報とともに時間情報が用紙に印刷されてもよい。この場合、設定用画像データには時間情報も表されることになる。この時間情報は、例えば、設定情報記入用紙の有効期限の日時を示す情報である。新画像形成装置によって設定情報記入用紙がスキャンされた日時が、有効期限の日時を過ぎている場合、管理装置１０の制御部１８は、新画像形成装置についての設定情報の更新を禁止する。一方、スキャンの日時が有効期限の日時を過ぎていない場合、制御部１８は、設定情報の更新を許可する。なお、時間情報は、印刷時の日時を示す情報であってもよい。この場合において、印刷時の日時から予め設定された日数が経過している場合、制御部１８は、設定情報の更新を禁止する。一方、印刷時の日時から予め設定された日時が経過していない場合、制御部１８は、設定情報の更新を許可する。このように有効期限を設けることにより、有効期限を設けない場合と比べて、設定情報に対するセキュリティが向上し得る。
【００７１】
（変形例６）
画像形成装置４０はＯＣＲ機能を備えていてもよい。この場合、新画像形成装置において、設定用画像データに対してＯＣＲ処理が実行される。ＯＣＲ処理により抽出された新管理情報は、新画像形成装置から管理装置１０に送信され、管理装置１０にて管理情報が更新される。また、抽出された新デバイス設定情報は、新画像形成装置に設定される。この場合、管理装置１０を介さずに、新デバイス設定情報が新画像形成装置に設定される。
【００７２】
なお、上述した実施形態及び変形例において、管理装置１０は、業務フロー実行用のサーバ等であってもよい。この場合、管理装置１０によって管理される装置は、画像形成装置４０ではなく、パーソナルコンピュータ等の端末装置であってもよい。
【符号の説明】
【００７３】
１０  管理装置、１２，５０  通信部、１４，４２  記憶部、１６  管理情報、１８  制御部、２０  情報取得部、２２  解析部、２４  認証部、２６  デバイス設定部、２８  管理設定部、４０  画像形成装置、４４  デバイス設定情報、４６  画像形成部、４８  画像読取部、５２  ユーザインターフェース部（ＵＩ部）、５４  制御部。
【図１】
2016063474.tif 000003
【図２】
2016063474.tif 000004
【図３】
2016063474.tif 000005
【図４】
2016063474.tif 000006
【図５】
2016063474.tif 000007
【図６】
2016063474.tif 000008
【図７】
2016063474.tif 000009
【図８】
2016063474.tif 000010